(57)【要約】【課題】本発明は、エンドユーザが画像形成装置本体の手掛け部を全く持つことが出来ないようにし、移動等の際には必ずオプショントレイ装置側の一番下の手掛け部分を持つよう促し、誤解を招くことなくより操作性を向上させることを目的とする。【解決手段】本発明の画像形成装置は、本体装置としてのプリンタ１と当該本体装置に追加して設置されるオプション装置としてのオプショントレイ装置４２からなる画像形成装置において、プリンタ１に設けられた手掛け部４０と、オプショントレイ装置４２に設けられ手掛け部４０を被覆する被覆部材としてのブランクカバー４３，４４とを有することを特徴とする。【選択図】  図３
2012150151.tif 000002
【特許請求の範囲】
【請求項１】
本体装置と当該本体装置に追加して設置されるオプション装置からなる画像形成装置において、
前記本体装置に設けられた手掛け部と、
前記オプション装置に設けられ前記手掛け部を被覆する被覆部材と、を有すること
を特徴とする画像形成装置。
【請求項２】
前記オプション装置の前記被覆部材が、前記本体装置の下側の左右両側に配設され、回動することを特徴とする請求項１に記載の画像形成装置。
【請求項３】
前記本体装置側の前記手掛け部は係合部を有し、
前記オプション装置の前記被覆部材が回動可能で、前記本体装置側の前記手掛け部に設けられた係合部に係合することを特徴とする請求項２に記載の画像形成装置。
【請求項４】
前記被覆部材は、前記回動の中心となる回転支軸と、ロック部材を有しており、前記回転支軸を中心に回動し、前記本体装置側の前記手掛け部に設けられた係合部に当該ロック部材が係合することを特徴とする請求項３に記載の画像形成装置。
【請求項５】
本体装置と当該本体装置に追加して設置されるオプション装置とからなる画像形成装置において、
前記本体装置に設けられた第１の手掛け部と、
前記オプション装置に設けられた第２の手掛け部と、
を有し、
前記オプション装置の前記本体装置への設置後、前記第１の手掛け部と第２の手掛け部とが係合すること
を特徴とする画像形成装置。
【請求項６】
前記オプション装置側の前記第２の手掛け部が、前記本体装置の前記第１の手掛け部の下側に位置し、上方向に引き出し自在であることを特徴とする請求項５に記載の画像形成装置。
【請求項７】
前記第２の手掛け部を上方向に引き出すことにより、前記本体装置の手掛け部として機能させることを特徴とする請求項６に記載の画像形成装置。
【請求項８】
前記第１の手掛け部には、係合部が設けられており、
前記第２の手掛け部は、ロック部材を有しており、
前記第２の手掛け部を上方向に引き出すことで、前記ロック部材を前記第１の手掛け部の係合部に係合させることを特徴とする請求項７に記載の画像形成装置。
【発明の詳細な説明】
【技術分野】
【０００１】
本発明は、原稿読取部と画像形成部とから構成され、オプショントレイ装置が装着され得る画像形成装置に関するものである。
【背景技術】
【０００２】
従来、プリンタ、複写機、ファクシミリ、複合機等の画像形成装置においては、一般的に画像形成部（プリンタ部）の上部に画像読取部（スキャナ部）が配設されていることが多く、また、増設用オプショントレイは、その画像形成装置本体の下部に装着することが出来る状態になっており、さらに画像形成装置本体の下部に多段に単純に載せる構造となっている。
【０００３】
ここで、例えば、特許文献１では、画像形成装置のオプションとして、補助トレイとしての補助カセットが配設され、該補助カセットを画像形成装置の下部に取り付けることによって多段トレイを構成する例が開示されている。
【先行技術文献】
【特許文献】
【０００４】
【特許文献１】特開２００７−９６８８９号公報
【発明の概要】
【発明が解決しようとする課題】
【０００５】
しかしながら、以上述べたように従来の画像形成装置においては、画像形成装置を設置場所から移動する必要がある場合等、画像形成装置本体の手掛け部を持つと画像形成装置本体とオプショントレイ装置が離れてしまう場合があった。
【０００６】
そこで、本発明は上述の技術的な課題に鑑み、オプショントレイ装置側にブランクカバーを構成として追加して、当該ブランクカバーにより画像形成装置本体の手掛け部を完全に覆うことによって、エンドユーザが画像形成装置本体の手掛け部を全く持つことが出来ないようにし、誤解を招くことなく、より操作性を向上させることを可能とした画像形成装置を提供することを目的とする。
【課題を解決するための手段】
【０００７】
上述したような技術的な課題を解決するために、本発明の第１の態様に係る画像形成装置は、本体装置と当該本体装置に追加して設置されるオプション装置からなる画像形成装置において、前記本体装置に設けられた手掛け部と、前記オプション装置に設けられ前記手掛け部を被覆する被覆部材と、を有することを特徴とする。
【０００８】
本発明の第２の態様に係る画像形成装置は、本体装置と当該本体装置に追加して設置されるオプション装置とからなる画像形成装置において、前記本体装置に設けられた第１の手掛け部と、前記オプション装置に設けられた第２の手掛け部と、を有し、前記オプション装置の前記本体装置への設置後、前記第１の手掛け部と第２の手掛け部とが係合することを特徴とする。
【発明の効果】
【０００９】
本発明に係る画像形成装置によれば、オプショントレイ装置側にブランクカバーを構成として追加して、当該ブランクカバーにより画像形成装置本体の手掛け部を完全に覆うことによって、エンドユーザが画像形成装置本体の手掛け部を全く持つことが出来ないようにし、誤解を招くことなくより操作性を向上させることが可能となる。
【図面の簡単な説明】
【００１０】
【図１】本発明の第１の実施形態に係る画像形成装置の構成を示す断面図である。
【図２】図１の複合装置の画像読取装置部分の構成を更に詳細に示す図である。
【図３】（ａ）乃至（ｃ）は、本発明の第１の実施形態に係る画像形成装置の特徴部分の構成を詳細に示す図である。
【図４】（ａ）乃至（ｄ）は、本発明の第１の実施形態に係る画像形成装置の特徴部分の構成を詳細に示す図である。
【図５】小さい用紙（Ａ５等）に印刷して用紙先端が見えない際に、スキャナユニットを回転させて上げて、印刷した用紙を取り出す様子を示す図である。
【図６】トナー補充をする際に、スキャナユニットとプリンタのスタッカカバーを開けて空のトナーカートリッジを交換する様子を示す図である。
【図７】（ａ）乃至（ｃ）は、本発明の第２の実施形態に係る画像形成装置の特徴部分の構成を詳細に示す図である。
【図８】（ａ）乃至（ｄ）は、本発明の第２の実施形態に係る画像形成装置の特徴部分の構成を詳細に示す図である。
【図９】小さい用紙（Ａ５等）に印刷して用紙先端が見えない際に、スキャナユニットを回転させて上げて、印刷した用紙を取り出す様子を示す図である。
【図１０】トナー補充をする際に、スキャナユニットとプリンタのスタッカカバーを開けて空のトナーカートリッジを交換する様子を示す図である。
【発明を実施するための形態】
【００１１】
以下、本発明の画像形成装置に係る好適な実施形態について図面を参照しながら説明する。なお、本発明の画像形成装置は、以下の記述に限定されるものではなく、本発明の要旨を逸脱しない範囲において、適宜変更可能である。
【００１２】
（第１の実施形態）
【００１３】
先ず、本発明の第１の実施形態について説明する。
【００１４】
図１には、本発明の第１の実施形態に係る画像形成装置としての複合装置の構成を示す断面図を示し説明する。同図において、符号１はプリンタ（画像印刷装置本体）、符号２〜１１は画像印刷装置本体の構成部材、符号１３〜１５は画像読取装置であり、画像印刷装置本体と画像読取装置とが接続されて複合装置となっている。符号３１はオプション装置としてのオプショントレイ装置の用紙カセットであり、符号３２乃至３６はその構成部材を示す。以下、各構成について更に詳述する。
【００１５】
プリンタ１は、用紙を画像印刷装置本体に供給する用紙カセット２を備えている。給紙ローラ３は、用紙カセット２から用紙を１枚ずつ画像印刷装置本体へ給紙する役割を担っており、ワンウェイクラッチ（一方向のみ駆動力を伝達し、反転すると空転する方式）機能を内蔵している。そして、給紙ローラ３の搬送路の先には、用紙の通過を検知するセンサ４，７、用紙カセット２からの用紙をスキュー矯正手段へ搬送しイメージドラムへも送り込むための搬送ローラ５、用紙カセット２からのスキュー矯正手段を有し用紙をイメージドラムに送り込むための用紙搬送ローラ６、用紙に画像を形成するイメージドラムと転写ローラとからなる画像形成ユニット８、この画像形成ユニット８で形成された画像を用紙に定着させるためのものでヒータと加圧ローラとにより構成された定着ユニット９、この定着ユニット９で定着した用紙を画像印刷装置本体から外部へ送り出すための排出ローラ１０が配設されている。この他、プリンタカバー１２も設けられている。そして、画像印刷装置本体１に実装されている用紙カセット２から給紙された用紙の走行ルートが用紙走行ルート１１に相当する。
【００１６】
オプショントレイ装置では、画像印刷装置本体１と同様に、用紙カセット３１から用紙を１枚ずつ画像印刷装置本体１へ給紙する為の給紙ローラ３２が設けられており、ワンウェイクラッチ（一方向のみ駆動力を伝達し、反転すると空転する方式）機能を内蔵している。その搬送路の先には、用紙の通過を検知するセンサ３３が設けられており、更に用紙カセット３１からのスキュー矯正手段を有する用紙搬送ローラ３４，３５がある。オプショントレイ装置に実装されている用紙カセット３１から給紙された用紙の走行ルートが用紙走行ルート３６に相当する。
【００１７】
また、画像読取装置は、スキャナユニット１３（画像読取装置本体）、フラットベット部分を覆うスキャナカバー１４、このスキャナカバー１４の一部分を利用して多数枚原稿を自動的に順次送るＡＤＦ（自動原稿給紙装置）ユニット１５で構成されている。
【００１８】
ここで、図２には、図１の複合装置の画像読取装置部分の構成を更に詳細に示して説明する。同図に示されるように、ＡＤＦユニット１５は、読取原稿をセットする原稿トレイ１６と原稿サブトレイ１７、その読取原稿の有無を判断する用紙有無センサ１９、原稿を分離するＡＤＦローラ１８、原稿搬送ローラ２０、用紙の通過を検知するセンサ２１、原稿排出ローラ２２で構成されおり、スキャナユニット１３側にある可動式の画像読取ユニット２３ａの位置でＡＤＦユニット１５にセットした原稿を読み取る。ＡＤＦユニット１５に読取原稿をセットして、当該原稿が排出されるまでのルートが原稿走行ルート２４である。また、画像読取ユニットは、可動式であり画像読取ユニット２３ｂの位置に移動すると、フラットベット方式で原稿を読み取ることが可能になる。
【００１９】
以下、図３、４には、本発明の第１の実施形態に係る画像形成装置の特徴部分を詳細に図示し説明する。尚、通常、図３（ａ）のような状態がユーザの購入形態である。
【００２０】
先ず、図３（ａ）の斜視図に示されるように、本体装置としてのプリンタ１には、その上部にスキャナユニット（画像読取装置本体）１３が配設されている。そして、プリンタ１の下方左右に設けられた手掛け部４０の内側に、各々係合部としての凹部４１ａ（詳細−Ａ参照）、凹部４１ｂ（詳細−Ｂ参照）が形成されている。この凹部４１ａ，４１ｂの形状は、同形状であってもよい。また、図３（ａ）の斜視図には、オプション装置としてのオプショントレイ装置４２の構成も示されている。オプショントレイ装置４２には、その上面に、プリンタ１からの指示に基づく用紙の給紙開始／停止の指令の送受信やモータやセンサ動作用の信号の送受信を行うコネクタ４５が配設されており、更に上方左右側面には被覆部材としてのブランクカバー４３，４４が設けられている。
【００２１】
このオプショントレイ装置４２の上にプリンタ１を配設すると、その状態は、図３（ｂ）に示されるようになる。被覆部材としてのブランクカバー４３，４４は、この状態ではまだオプション装置としてのオプショントレイ装置１の側面及び上面から突出しない態様で収容されている(詳細−Ｃ参照)。
【００２２】
図３（ｃ）には、オプショントレイ装置４２をプリンタ１に搭載して両側のブランクカバー４３，４４を回動し、当該ブランクカバー４３，４４をプリンタ１側の手掛け部４０の凹部４１ａ，４１ｂに取り付け、ロックした状態の斜視図を示している。なお、ブランクカバー４３，４４を回動させると、当該ブランクカバー４３，４４はオプショントレイ装置４２の上面からは突出するが、プリンタ１及びオプショントレイ装置４２の側面とは平行となる（詳細−Ｄ参照）。
【００２３】
図４（ａ）には、プリンタ１にオプショントレイ装置４２を搭載した状態での、ブランクカバー４３，４４のロック前の状態を拡大して示している。オプショントレイ装置４２は、ブランクカバー４３，４４の取り付け部内側にブランクカバー４３，４４の回転支軸４８が回動する不図示の孔を前後に有している。
【００２４】
図４（ｂ）乃至（ｄ）に示されるように、ブランクカバー４３，４４は、プリンタ１側の凹部４１ａ，４１ｂに係合するロック部材としてのロックレバー４６とその各々のロックレバー４６を付勢させるスプリング４７を備えている。なお、図４（ｃ）は図４（ｂ）の矢印（Ｅ）から見た様子を示す斜視図であり、図４（ｄ）は図４（ｂ）の矢印（Ｆ）から見た様子を示す斜視図である。
【００２５】
以上のような構成において、本体装置としてのプリンタ１（スキャナユニット１３付）をオプション装置としてのオプショントレイ装置４２の上に乗せて被覆部材としてのブランクカバー４３，４４を（ア）方向に回転させることによって、プリンタ１の手掛け部４０の係合部としての凹部４１ａ，４１ｂにブランクカバー４３，４４のロック部材としてのロックレバー４６がスプリング４７の付勢力によって入り込み、プリンタ１側にロックされることになる（図３（ｃ）は、ブランクカバー４３，４４が、オプショントレイ装置４２から回動してプリンタ１に入り込んだところを示している）。
【００２６】
また、小さい用紙（Ａ５等）に印刷して用紙先端が見えない際には、図５に示されるようにスキャナユニット１３を回転させて上げて、印刷した用紙を取り出す。また、トナー補充をする際には、図６に示されるようにスキャナユニット１３とプリンタ１のスタッカカバーを開けて空のトナーカートリッジを交換する。
【００２７】
オプショントレイ装置４２を取り外す際には、ブランクカバー４３，４４を（イ）方向（図３詳細−Ｄ参照）に回転させることによって（ア）方向と逆方向に回転させて、ロックレバー４６をプリンタ１側の凹部４１ａ，４１ｂ（詳細−Ａ／詳細−Ｂ参照）から外すことになる。
【００２８】
以上説明したように、本発明の第１の実施形態によれば、本体装置としてのプリンタ１と当該本体装置に追加して設置されるオプション装置としてのオプショントレイ装置４２からなる画像形成装置において、本体装置に設けられた手掛け部４０と、オプション装置に設けられ手掛け部４０を被覆する被覆部材としてのブランクカバー４３，４４とを有することを特徴とする画像形成装置が提供される。
【００２９】
ここで、オプション装置の被覆部材としてのブランクカバー４３，４４が、本体装置の下側の左右両側に配設され、回動することを特徴としてよい。更に、本体装置側の手掛け部４０は係合部としての凹部４１ａ，４１ｂを有し、オプション装置の被覆部材としてのブランクカバー４３，４４が回動可能で、本体装置側の手掛け部４０に設けられた係合部としての凹部４１ａ，４１ｂに係合することを特徴としてよい。さらに、被覆部材としてのブランクカバー４３，４４は、回動の中心となる回転支軸４８と、ロック部材としてのロックレバー４６を有しており、回転支軸４８を中心に回動し、本体装置側の手掛け部４０に設けられた係合部としての凹部４１ａ，４１ｂに当該ロック部材としてのロックレバー４６が係合することを特徴としてよい。
【００３０】
従って、本発明の第１の実施形態によれば、オプショントレイ装置４２側にブランクカバー４３，４４を追加して装置本体の手掛け部４０を完全に覆うことによって、エンドユーザが全く持つことが出来ないようにして、移動等の際には必ずオプショントレイ側の一番下の手掛け部分を持つように促すことにより、誤解を招くことなくより操作性を向上させることが可能になる。
【００３１】
また、保守点検の際には、サービスマンがブランクカバー４３，４４を（イ）方向に回動させ、オプショントレイ装置４２のみを、交換することも可能となる。
【００３２】
さらに、画像形成装置において、オプショントレイ装置４２に回転可能で尚且つロック部材としてのロックレバー４６を内蔵しているブランクカバー４３，４４を追加することによって、トナー補充による交換や用紙ジャム発生時、ユーザの多少手荒な扱いの際にもプリンタ１側とオプショントレイ装置４２側とを確実に接続することが出来て、所謂活線挿抜の発生を防止することも可能となる。
【００３３】
（第２の実施形態）
【００３４】
次に本発明の第２の実施形態について説明する。
【００３５】
第２の実施形態に係る画像形成装置の基本的な構成は図１，２と略同様であるので、ここでは、重複した説明は省略し、図７，８を参照して特徴部分を中心に説明する。
【００３６】
尚、前述した第１の実施形態と同様に、通常、図７（ａ）に示されるような状態が、エンドユーザの購入形態である。
【００３７】
先ず、図７（ａ）の斜視図に示されるように、本体装置としてのプリンタ１には、その上部にスキャナユニット（画像読取装置本体）１３が配設されている。そして、プリンタ１の下方左右に設けられた第１の手掛け部としての手掛け部５０の内側に、各々係合部としての凹部５１ａ（詳細−Ｇ参照）、凹部５１ｂ（詳細−Ｈ参照）が形成されている。この凹部５１ａ，５１ｂの形状は、同形状であってもよい。図７（ａ）の斜視図には、オプション装置としてのオプショントレイ装置５２の構成も示されている。オプショントレイ装置５２には、その上面に、プリンタ１からの指示に基づく用紙の給紙開始／停止の指令の送受信やモータやセンサ動作用の信号の送受信を行うコネクタ５５が配設されている。さらに、オプショントレイ装置５２の上方左右側面には、第２の手掛け部としてのブランクカバー５３，５４が設けられている。
【００３８】
このオプションプレイ装置５２の上にプリンタ１を配設すると、その状態は、図７（ｂ）に示されるようになる。第２の手掛け部としてのブランクカバー５３，５４は、この状態では、まだオプション装置としてのオプショントレイ装置１の側面及び上面から突出しない態様で収容されている(詳細−Ｊ参照)。
【００３９】
図７（ｃ）の斜視図は、オプショントレイ装置５２を搭載して両側の第２の手掛け部としてのブランクカバー５３，５４を（ウ）方向に移動し、当該ブランクカバー５３，５４をプリンタ１側の第１の手掛け部としての手掛け部５０の係合部としての凹部５１ａ，５１ｂに取り付け、ロックした状態を示している。即ち、第２の手掛け部としてのブランクカバー５３，５４は、（ウ）方向、（エ）方向に、つまり上下方向にスライド自在となっている（詳細−Ｋ参照）。
【００４０】
図８（ａ）には、プリンタ１にオプショントレイ装置４２を搭載した状態での、ブランクカバー５３，５４のロック前の状態を拡大して示している。図８（ａ）に示されるように、オプショントレイ装置５２は、内部にブランクカバー５３，５４を上下に移動させる不図示のガイドを有している。
【００４１】
さらに、図８（ｂ），（ｃ）に示されるように、ブランクカバー５３，５４は、プリンタ１側の凹部５１ａ，５１ｂに係合するロック部材としてのロックレバー５６と、その各々のロックレバー５６を付勢させるスプリング５７を備えている。
【００４２】
尚、図８（ｂ）は第２の手掛け部としてのブランクカバー５３，５４を拡大して示した図であり、図８（ｃ）は第２の手掛け部としてのブランクカバー５３，５４の内部構造を拡大して示した図である。
【００４３】
以上の構成において、本体装置としてのプリンタ１（スキャナユニット１３付）をオプション装置としてのオプショントレイ装置５２の上に搭載して第２の手掛け部としてのブランクカバー５３，５４を（ウ）方向にスライド移動させることによって、プリンタ１の第１の手掛け部としての手掛け部５０の係合部としての凹部５１ａ，５１ｂにロック部材としてのロックレバー５６がスプリング５７の付勢力によって入り込み、プリンタ１側の凹部５１ａ，５１ｂ（詳細−Ｇ／詳細−Ｈ参照）にロックされることになる。前述したように、図７（ｃ）は、ブランクカバー５３，５４が、オプショントレイ装置５２からスライドしてプリンタ１に入り込んだところを示している。
【００４４】
また、小さい用紙（Ａ５等）にて印刷して用紙先端が見えない際には、図９に示されるように、スキャナユニット１３を上げて、印刷した用紙を取り出す。また、トナー補充をする際には、図１０に示されるように、スキャナユニット１３とプリンタ１のスタッカカバーを開けて空のトナーカートリッジを交換する。
【００４５】
さらに、オプショントレイ装置５２をプリンタ１から取り外す際には、ブランクカバー５３，５４を（エ）方向、即ち下方向に押すことによって（ウ）方向、即ち上方向と逆方向にスライドさせてロックレバー５６を外すことになる。
【００４６】
以上説明したように、本発明の第２の実施形態によれば、本体装置としてのプリンタ１と当該本体装置に追加して設置されるオプション装置としてのオプショントレイ装置５２とからなる画像形成装置において、本体装置に設けられた第１の手掛け部としての手掛け部５０と、オプション装置に設けられた第２の手掛け部としてのブランクカバー５３，５４とを有し、オプション装置の本体装置への設置後、第１の手掛け部としての手掛け部５０と第２の手掛け部としてのブランクカバー５３，５４とが係合することを特徴とする画像形成装置が提供される。
【００４７】
また、オプション装置側の第２の手掛け部としてのブランクカバー５３，５４が、本体装置の第１の手掛け部としての手掛け部５０の下側に位置し、上方向に引き出し自在であることとしてよい。さらに、第２の手掛け部としてのブランクカバー５３，５４を上方向に引き出すことにより、本体装置の手掛け部として機能させてよい。また、第１の手掛け部としての手掛け部５０には、係合部としての凹部５１ａ，５１ｂが設けられており、第２の手掛け部としてのブランクカバー５３，５４は、ロック部材としてのロックレバー５６を有しており、第２の手掛け部としてのブランクカバー５３，５４を上方向に引き出すことで、ロック部材としてのロックレバー５６を第１の手掛け部の係合部としての凹部５１ａ，５１ｂに係合させることとしてよい。
【００４８】
従って、第２の実施形態によれば、ブランクカバー５３，５４の手掛け形状が移動して装置本体の手掛け部分を完全に覆うことによって、エンドユーザがブランクカバーの手掛け形状を持つことになり、装置本体側とオプショントレイ装置の各重量を支え、移動等の際にはブランクカバー５３，５４の手掛け形状もしくは、オプショントレイ装置５２側の一番下の手掛け部分のどちらでも持つことが可能になり、利便性が上がる。また、保守点検の際には、サービスマンがブランクカバー５３，５４を（エ）方向にスライドさせることによって、オプショントレイ装置５２のみを交換することも可能となる。
【００４９】
さらに、画像形成装置において、オプショントレイ装置５２に上下方向にスライド可能でかつロックさせるロック部材としてのロックレバー５６を内蔵しているブランクカバー５３，５４を追加することによって、トナー交換やジャム発生時、ユーザの多少手荒な扱いの際にも、プリンタ１側とオプショントレイ装置５２側とを確実に接続することが出来て、所謂活線挿抜を防止することが可能になる。
【００５０】
尚、本画像形成装置は、原稿読取装置や画像形成装置（プリンタ、ファクシミリ装置やプリンタ機能及びスキャナ機能等を備えた複合機など）の装置本体に対して着脱可能に装着されるオプショントレイ装置を有しているものである。
【符号の説明】
【００５１】
１  プリンタ
２  用紙カセット
３  給紙ローラ
４  センサ
５  搬送ローラ
６  用紙搬送ローラ
７  センサ
８  画像形成ユニット
９  定着ユニット
１０  排出ローラ
１１  用紙走行ルート
１２  プリンタカバー
１３  スキャナユニット
１４  スキャナカバー
１５  ＡＤＦユニット
１６  原稿トレイ
１７  原稿サブトレイ
１８  ＡＤＦローラ
１９  用紙有無センサ
２０  原稿搬送ローラ
２１  センサ
２２  原稿排出ローラ
２３ａ，２３ｂ  画像読取ユニット
３１  用紙カセット
３２  給紙ローラ
３３  センサ
３４  用紙搬送ローラ
３５  用紙搬送ローラ
３６  用紙走行ルート
４０  手掛け部
４１ａ，４１ｂ  凹部
４２  オプショントレイ装置
４３  ブランクカバー
４４  ブランクカバー
４５  コネクタ
４６  ロックレバー
４７  スプリング
５０  手掛け部
５１ａ，５１ｂ  凹部
５２  オプショントレイ装置
５３  ブランクカバー
５４  ブランクカバー
５５  コネクタ
５６  ロックレバー
５７  スプリング
【図１】
2012150151.tif 000003
【図２】
2012150151.tif 000004
【図３】
2012150151.tif 000005
【図４】
2012150151.tif 000006
【図５】
2012150151.tif 000007
【図６】
2012150151.tif 000008
【図７】
2012150151.tif 000009
【図８】
2012150151.tif 000010
【図９】
2012150151.tif 000011
【図１０】
2012150151.tif 000012